(57)【要約】【課題】基本的にはＣＯＤＥＣ等のＡ／Ｄ−Ｄ／Ａ変換回路を用いないファクシミリ通信装置を提供する。【解決手段】ＰＳＴＮ回線を伝送路として使用するＧ３ファクシミリ通信機能、およびＩＳＤＮ回線を伝送路として使用するＧ３／Ｇ４ファクシミリ通信機能を有するファクシミリ通信装置１１であって、ＰＳＴＮ回線とのインターフェースを行なうＮＣＵ１１１と、ＮＣＵ１１１とＰＳＴＮ−Ｇ３ファクシミリ信号を送受信するとともに、ＩＳＤＮ−Ｇ３／Ｇ４ファクシミリユニットとの間でＩＳＤＮ−Ｇ３ファクシミリ信号をデジタル信号として送受信する機能を備えたモデム１１５とを備えてなることを特徴とする。【選択図】　　　　図１
2004088629.tif 000002
【特許請求の範囲】
【請求項１】
ＰＳＴＮ回線を伝送路として使用するＧ３ファクシミリ通信機能、およびＩＳＤＮ回線を伝送路として使用するＧ３／Ｇ４ファクシミリ通信機能を有するファクシミリ通信装置において、
ＰＳＴＮ回線とのインターフェースを行なうＮＣＵと、
前記ＮＣＵとＰＳＴＮ−Ｇ３ファクシミリ信号を送受信するとともに、ＩＳＤＮ−Ｇ３／Ｇ４ファクシミリユニットとの間でＩＳＤＮ−Ｇ３ファクシミリ信号をデジタル信号として送受信する機能を備えたモデムと、
を備えてなることを特徴とするファクシミリ通信装置。
【請求項２】
前記Ｇ３／Ｇ４ファクシミリユニットを、本体に内蔵してなることを特徴とする請求項１に記載のファクシミリ通信装置。
【請求項３】
前記Ｇ３／Ｇ４ファクシミリユニットが本体と別体に構成され、前記Ｇ３／Ｇ４ファクシミリユニットとインターフェースを介して接続されることを特徴とする請求項１に記載のファクシミリ通信装置。
【請求項４】
前記モデムは、前記ＩＳＤＮ−Ｇ３／Ｇ４ファクシミリユニットとの間で、前記ＩＳＤＮ−Ｇ３ファクシミリ信号をアナログ信号として送受信できる機能をさらに備えていることを特徴とする請求項３に記載のファクシミリ通信装置。
【請求項５】
前記モデムは、前記ＰＳＴＮ−Ｇ３ファクシミリ信号と、ＩＳＤＮ−Ｇ３／Ｇ４ファクシミリ信号をモニタすることができることを特徴とするファクシミリ通信機能を有する請求項４に記載のファクシミリ通信装置。
【請求項６】
ＰＳＴＮ回線とのインターフェースを行なうＮＣＵと、前記ＮＣＵとの間でＰＳＴＮ−Ｇ３ファクシミリ信号をデジタル信号として送受信する機能およびＩＳＤＮ−Ｇ３ファクシミリ信号をアナログ信号として、またはさらにデジタル信号として送受信する機能を有するモデムとを備えたファクシミリ通信装置に使用されるＧ３／Ｇ４ファクシミリユニットであって、
ＩＳＤＮ回線とインターフェースを行なうＩ／Ｆ回路と、
Ｇ３ファクシミリ通信制御手段およびＧ３ファクシミリ通信制御手段とからなる通信制御手段と、
前記モデムとの間で前記ＩＳＤＮ−Ｇ３ファクシミリ信号をアナログ信号として送受信するＡ／Ｄ−Ｄ／Ａ変換手段と、
前記Ａ／Ｄ−Ｄ／Ａ変換手段，前記モデムの何れか一方との間で前記ＩＳＤＮ−Ｇ３ファクシミリ信号をデジタル信号として送受信するインターフェースと備えた、
ことを特徴とするＧ３／Ｇ４ファクシミリユニット。
【請求項７】
前記モデムとの間でＩＳＤＮ−Ｇ３ファクシミリ信号をデジタル信号で送受信するか、アナログ信号で送受するかを選択する切換え機能を備えたことを特徴とする請求項６に記載のＧ３／Ｇ４ファクシミリユニット。
【発明の詳細な説明】
【０００１】
【発明の属する技術分野】
本発明は、ＰＳＴＮ−ファクシミリ信号とＩＳＤＮ−Ｇ３ファクシミリ信号とを処理できるモデムを搭載したファクシミリ通信装置および当該ファクシミリ通信装置に接続して使用されるＧ３／Ｇ４ファクシミリユニットに関する。
【０００２】
【従来の技術】
最近では、インターネットの普及に伴いインターネットファクシミリ装置が広く使用されつつある。インターネットファクシミリ装置には、ＰＳＴＮ回線を伝送路として使用してＧ３ファクシミリ通信を行なうことができるもの、ＩＳＤＮ回線を伝送路として使用してＧ３ファクシミリ通信、Ｇ４ファクシミリ通信を行なうことができるものがある。
【０００３】
ＰＳＴＮを伝送路として使用するためのＧ３ファクシミリ通信回路は、トランスやリレー等の個別部品を含むＮＣＵと呼ばれる網制御装置により構成される。ＮＣＵは、近年の半導体技術の向上により半導体回路により一体構成されるようになっている（このＮＣＵを、半導体ＮＣＵと称する）。また、ＩＳＤＮを伝送路として使用するためのＧ３ファクシミリ通信回路は、ＣＯＤＥＣ等のＡ／Ｄ−Ｄ／Ａ変換機能を備えており、Ｇ３モードにおけるＩＳＤＮ回線からわたされるデジタル信号をアナログ信号に変換してモデムに渡し、あるいはモデムからのアナログ信号をＩＳＤＮ回線に送出することができる。
【０００４】
【発明が解決しようとする課題】
従来のモデムは、ＰＳＴＮ回線を伝送路とするファクシミリ信号（ＰＳＴＮ−ファクシミリ信号）とＩＳＤＮ回線を伝送路とするファクシミリ信号（ＩＳＤＮ−ファクシミリ信号）とをアナログ信号として処理することから、ＳＤＮ−ファクシミリ信号処理用に上述したＣＯＤＥＣ等のＡ／Ｄ−Ｄ／Ａ変換回路を備えている。このため、装置コストがアップする等の不都合がある。
【０００５】
本発明の目的は、基本的にはＣＯＤＥＣ等のＡ／Ｄ−Ｄ／Ａ変換回路を用いないファクシミリ通信装置を提供することにある。
【０００６】
本発明の他の目的は、上記ファクシミリ通信装置にインターフェースを介して接続されＧ３／Ｇ４のＳＤＮ−ファクシミリ通信ができるＧ３／Ｇ４ファクシミリユニットを提供することにある。
【０００７】
【課題を解決するための手段】
本発明のファクシミリ通信装置は、ＰＳＴＮ回線を伝送路として使用するＧ３ファクシミリ通信機能、およびＩＳＤＮ回線を伝送路として使用するＧ３／Ｇ４ファクシミリ通信機能を有するもので、ＰＳＴＮ回線とのインターフェースを行なうＮＣＵと、前記ＮＣＵとＰＳＴＮ−Ｇ３ファクシミリ信号を送受信するとともに、ＩＳＤＮ−Ｇ３／Ｇ４ファクシミリユニットとの間でＩＳＤＮ−Ｇ３ファクシミリ信号をデジタル信号として送受信できる機能を備えたモデムとを備えてなることを特徴とする。
【０００８】
前記Ｇ３／Ｇ４ファクシミリユニットは、ファクシミリ通信装置本体に内蔵することもできるし、インターフェースを介してファクシミリ通信装置に接続することもできる。
【０００９】
本発明のファクシミリ通信装置に使用されるモデムは、ＤＳＰにより構成することでき、ＩＳＤＮ−Ｇ３ファクシミリ通信においても、Ａ／Ｄ−Ｄ／Ａ変換回路を削除することができ大幅なコストダウンと基板の実装面積の縮小化をはかることができる。なお、ＮＣＵとして半導体構成のものを採用すること（トランスレスＤＡＡを使用すること）で、コストダウンと基板の実装面積の縮小化をはかることができる。
【００１０】
本発明のファクシミリ通信装置では、前記モデムは、前記ＩＳＤＮ−Ｇ３／Ｇ４ファクシミリユニットとの間で、前記ＩＳＤＮ−Ｇ３ファクシミリ信号をアナログ信号として送受信できる機能をさらに備えることができる。
【００１１】
本発明のＧ３／Ｇ４ファクシミリユニットは、このこの機能を備えたファクシミリ通信装置に使用されるＧ３／Ｇ４ファクシミリユニットであって、前記ＩＳＤＮ−Ｇ３／Ｇ４ファクシミリユニットが、ＩＳＤＮ−Ｇ３ファクシミリ信号をＡ／Ｄ−Ｄ／Ａ変換する機能を備えたことを特徴とする。本発明のＧ３／Ｇ４ファクシミリユニットは、前記ファクシミリ通信装置との間でＩＳＤＮ−Ｇ３ファクシミリ信号をデジタル信号で送受信するか、アナログ信号で送受するかを選択する切換え機能を備えることができる。
【００１２】
ところで、Ｇ４ファクシミリ通信機能はファクシミリ通信装置に標準搭載されることは少ないため、ＩＳＤＮ−ファクシミリ通信回路は、ファクシミリ通信装置の本体回路とは別体に構成され、販売時にユーザオプションとして追加されることがある。このような場合、装置によっては、Ｇ３ファクシミリ信号を処理するモデムが従来のＮＣＵ構成にしか対応できていない場合には、ＩＳＤＮでＧ４ファクシミリ通信はできてもＧ３ファクシミリ通信ができないといった事態が生じるが、本発明によればこのような不都合は生じないし、また、ファクシミリ通信装置別体型の本発明のＩＳＤＮ−Ｇ３／Ｇ４ファクシミリユニットは、本体装置側のモデム及びＮＣＵの構成に依存することなく構成できる。
【００１３】
本発明のファクシミリ通信装置は、ＩＳＤＮ−Ｇ３／Ｇ４ファクシミリユニットを本体回路と別体とした場合には、前記モデムは、前記ＰＳＴＮ−Ｇ３ファクシミリ信号と、ＩＳＤＮ−Ｇ３／Ｇ４ファクシミリ信号をモニタすることができるように構成できる。モデムは、ＩＳＤＮ−Ｇ３／Ｇ４ファクシミリユニットからのアナログ信号あるいはＮＣＵからのデジタル信号を内部でアナログに変換してモニタするこがができるので、ＩＳＤＮ−Ｇ３ファクシミリ通信およびＰＳＴＮ―Ｇ３ファクシミリ通信の動作確認及び、通信不具合等の解析が可能となる。
【００１４】
【発明の実施の形態】
図１は、本発明のファクシミリ通信装置の一実施形態を示すブロック図である。
図１のファクシミリ通信装置１１は、ＰＳＴＮ−Ｇ３ファクシミリ通信機能、ＩＳＤＮ―Ｇ３／Ｇ４ファクシミリ通信機能を有している。
【００１５】
図１においてファクシミリ通信装置１１は、半導体ＮＣＵ１１１と、ダイオードブリッジ１１２と、切断手段１１３と、システム制御部１１４と、モデム１１５と、Ｇ３／Ｇ４ファクシミリユニット１１６とを備えている。
【００１６】
半導体ＮＣＵ（シリコンＤＡＡ）１１１は、一次側回線制御回路１１１１と、二次側回線制御回路１１１２と、データ受渡し回路１１１３とからなる。
一次側回路１１１１は、ＰＳＴＮ回線側の回線制御を行なうもので、局給電により動作する。二次側回路１１１２は、一次側回線制御回路１１１１と図示しないシリアルＩ／Ｆを介してデータの受け渡しを行う。一次側回路１１１１と二次側回路１１１２との間にはデータ受渡し回路１１１３が設けられている。データ受渡し回路１１１３は、一次側と二次側とトランスレスで絶縁接続するもので、ここではフォトカプラからなる。このフォトカプラに代えてコンデンサを用いることもできる。半導体ＮＣＵ１１１をトランスレスとしない場合には、絶縁装置としてトランスまたはコンデンサを用いることができる。
【００１７】
ファクシミリシステム制御部１１４は、図示しない、記憶装置、プリンタ回路、スキャナ回路等に接続される。
モデム１１５は、ＤＳＰを利用したもので、Ｇ３／Ｇ４ファクシミリユニット１１６のＧ３ファクシミリ制御回路１１６２との間でデジタル信号（ＩＳＤＮ−Ｇ３ファクシミリ信号）を送受信することができる。
【００１８】
Ｇ３／Ｇ４ファクシミリユニット１１６は、Ｇ４ファクシミリ通信制御回路１１６１と、Ｇ３ファクシミリ通信制御回路１１６２と、回線Ｉ／Ｆ回路１１６３とからなる。Ｇ４ファクシミリ通信制御回路１１６１とＧ３ファクシミリ通信制御回路１１６２とは、ＤＳＰにより構成される。
【００１９】
以下、図１のファクシミリ通信装置１１のＧ３ファクシミリ送信時の動作を図２のフローチャートにより説明する。
【００２０】
ファクシミリ通信装置１１に原稿をセットし、Ｇ３ファクシミリ通信がユーザにより選択されたものとする（Ｓ１０１）。ここで、ファクシミリ通信装置１１の設定もしくは装置仕様により、半導体ＮＣＵ１１１経由のＰＳＴＮ−Ｇ３ファクシミリ通信であるか、Ｇ３／Ｇ４ファクシミリユニット１１６経由のＩＳＤＮ−Ｇ３ファクシミリ通信であるか否かのチェックが行なわれる。ＰＳＴＮ−Ｇ３ファクシミリ通信である場合には（Ｓ１０２の「Ｙｅｓ」）、発呼（Ｓ１０３）して相手ファクシミリ装置と通信を行い（Ｓ１０４）、送信完了後に回線を切断し（Ｓ１０５）、この後アイドル状態に戻る。
【００２１】
また、ステップＳ１０２において、ＰＳＴＮ−Ｇ３ファクシミリ通信でない場合（Ｓ１０２の「Ｎｏ」）、ＩＳＤＮ−Ｇ３ファクシミリ通信か否かを判断し（Ｓ１０６）、ＩＳＤＮ−Ｇ３ファクシミリ通信のときは（Ｓ１０６の「Ｙｅｓ」）、モデム１１５とＧ３／Ｇ４ファクシミリユニット１１６のＧ３ファクシミリ通信制御回路１１６２とをデジタル信号で接続し（Ｓ１０７）、Ｇ３ファクシミリ通信に基づく発呼を行い（Ｓ１０８）、ファクシミリ通信を行った後（Ｓ１０９）回線を切断する（Ｓ１１０）。
【００２２】
また、ステップＳ１０６においてＩＳＤＮ回線の伝送路を使用した通信でないと判断された場合（Ｓ１０６の「Ｎｏ」）において、原稿が抜かれる等の中断処理が検出されか否かを判断し（Ｓ１１１）、中断処理が検出されたときは（Ｓ１１１の「Ｎｏ」）Ｇ３ファクシミリ通信に関するフローから抜けてアイドル状態となり、中断しないときは（Ｓ１１１の「Ｙｅｓ」）、ステップＳ１０２に処理を戻す。
【００２３】
従来では、モデムから出力されるアナログ信号をＩＳＤＮ回線への伝送のためにデジタル信号に変換し、ＩＳＤＮ回線の伝送路から受信したデジタル信号をアナログに変換していたが、本実施形態では図１に示すように、Ｇ３ファクシミリ通信制御回路１１６２とモデム１１５とをデジタルで接続しているので、Ｇ３ファクシミリ通信か可能となる。
【００２４】
本実施形態では、アナログ／デジタル変換の回路部を省略できるので、実装面積の低減等にもよる低コスト化をはかることができる。また、モデムのＩＣによる送信や受信アナログ信号のチューニングも不要になる。
【００２５】
図３および図４は、本発明のＧ３／Ｇ４ファクシミリユニットの実施形態を示すブロック図である。本実施形態では、ファクシミリ通信装置１２は、図１のファクシミリ通信装置１１と同様、ＰＳＴＮ−Ｇ３ファクシミリ通信機能、ＩＳＤＮ―Ｇ３／Ｇ４ファクシミリ通信機能を有している。また、ファクシミリ通信装置１２は、半導体ＮＣＵ１２１と、ダイオードブリッジ１２２と、切断手段１２３と、システム制御部１２４と、モデム（図３では１２５Ａ，図４では１２５Ｂ）とを備えている。図１の実施形態ではＧ３／Ｇ４ファクシミリユニット１１６はファクシミリ通信装置１１と一体であったが、本実施形態では、Ｇ３／Ｇ４ファクシミリユニット１２６は、ファクシミリ通信装置１２とは別体に構成されている。
【００２６】
半導体ＮＣＵ（シリコンＤＡＡ）１２１は、一次側回線制御回路１２１１と、二次側回線制御回路１２１２と、データ受渡し回路１２１３とからなる。一次側回路１２１１、二次側回路１２１２およびデータ受渡し回路１２１３は、図１の一次側回路１１１１、二次側回路１１１２およびデータ受渡し回路１１１３と同じである。
【００２７】
ファクシミリシステム制御部１２４は、図１のファクシミリシステム制御部１１４と同様、図示しない記憶装置、プリンタ回路、スキャナ回路等に接続されている。
【００２８】
図３のモデム１２５Ａは、ＤＳＰを利用したもので、Ｇ３／Ｇ４ファクシミリユニット１２６のＧ３ファクシミリ制御回路１２６２との間でデジタル信号（ＩＳＤＮ−Ｇ３ファクシミリ信号）を，ＣＯＤＥＣ１２６４との間でアナログ信号（ＩＳＤＮ−Ｇ３ファクシミリ信号）を送受信することができる。また、図４のモデム１２５Ｂは、Ｇ３／Ｇ４ファクシミリユニット１２６のＣＯＤＥＣ１２６４との間でアナログ信号（ＩＳＤＮ−Ｇ３ファクシミリ信号）を送受信することができる。
【００２９】
Ｇ３／Ｇ４ファクシミリユニット１２６は、Ｇ４ファクシミリ通信制御回路１２６１と、Ｇ３ファクシミリ通信制御回路１２６２と、回線Ｉ／Ｆ回路１２６３と、ＣＯＤＥＣ１２６４からなる。Ｇ４ファクシミリ通信制御回路１２６１とＧ３ファクシミリ通信制御回路１２６２とは、ＤＳＰにより構成され、ＣＯＤＥＣ１２６４は、Ｄ／Ａ−Ａ／Ｄ変換機能を備えている。
【００３０】
本実施形態ではファクシミリ通信装置１２には、デジタル信号用のコネクタ−Ｄ１とアナログ信号用のコネクタＡ１が設けられている。図３ではコネクタＤ１がモデム１２５Ａのデジタル端子に接続され、図４ではコネクタＡ２がモデム１２５Ｂのアナログ端子に接続されている。
【００３１】
また、Ｇ３／Ｇ４ファクシミリユニット１２６にも、デジタル信号用の端子Ｄ１とアナログ信号用の端子Ａ１が設けられている。図３では、端子Ｄ２がＧ３ファクシミリ通信制御回路１２６２のデジタル端子に接続され、図４では端子Ａ２がＣＯＤＥＣ１２６４のアナログ端子に接続されている。なお、図３および図４では、デジタル信号やアナログ信号のパスを模式的に示すものであり、これらのパスは実際の信号経路とは異なる。
【００３２】
以下、図３および図４のファクシミリ通信装置１２のＧ３ファクシミリ送信時の動作を図５のフローチャートにより説明する。ファクシミリ通信装置１２に原稿をセットし、Ｇ３ファクシミリ通信がユーザにより選択されたものとする（Ｓ２０１）。ここで、ファクシミリ通信装置１２の設定もしくは装置仕様により、半導体ＮＣＵ１２１経由のＰＳＴＮ−Ｇ３ファクシミリ通信であるか、Ｇ３／Ｇ４ファクシミリユニット１２６経由のＩＳＤＮ−Ｇ３ファクシミリ通信であるか否かのチェックが行なわれる。ＰＳＴＮ−Ｇ３ファクシミリ通信である場合には（Ｓ２０２の「Ｙｅｓ」）、発呼（Ｓ２０３）して相手ファクシミリ装置と通信を行い（Ｓ２０４）、送信完了後に回線を切断し（Ｓ２０５）、この後アイドル状態に戻る。
【００３３】
また、ステップＳ２０２において、ＰＳＴＮ−Ｇ３ファクシミリ通信でない場合（Ｓ２０２の「Ｎｏ」）、ＩＳＤＮ−Ｇ３ファクシミリ通信か否かを判断し（Ｓ２０６）、ＩＳＤＮ−Ｇ３ファクシミリ通信のときは（Ｓ２０６の「Ｙｅｓ」）、モデム（図３では１２５Ａ，図４では１２５Ｂ）とＧ３／Ｇ４ファクシミリユニット１２６のＧ３ファクシミリ通信制御回路１２６２とをデジタル信号で接続するのかアナログ信号で接続するのかを判断する（Ｓ２０７）。
【００３４】
図３ではモデム１２５ＡとＧ３ファクシミリ通信制御回路１２６２とをデジタル信号で接続し、図４ではモデム１２５ＢとＧ３ファクシミリ通信制御回路１２６２とを、ＣＯＤＥＣ１２６を介してデジタル信号で接続する。
【００３５】
アナログ信号で接続するのであれば（Ｓ２０７の「Ｙｅｓ」）、図４に示すようにモデム１２５ＢとＣＯＤＥＣ１２６４とを接続するラインで信号の送受信を行い（Ｓ２０８）、Ｇ３ファクシミリ通信に基づく発呼を行い（Ｓ２０９）、ファクシミリ通信を行った後（Ｓ２１０）回線を切断する（Ｓ２１１）。この場合には、Ｇ３／Ｇ４ファクシミリユニット１２６では、Ｇ３ファクシミリ通信制御回路１２６２とＣＯＤＥＣ１２６４との間で信号の送受信を行なう。
【００３６】
また、ステップＳ２０７において、デジタル信号で接続するのであれば（Ｓ２０６の「Ｎｏ」）、図３に示すようにモデム１２５ＡとＧ３ファクシミリ通信制御回路１２６２とを接続するラインで信号の送受信を行い（Ｓ２１３）、Ｇ３ファクシミリ通信による発呼を行なう（Ｓ２１４）。この後、ファクシミリ通信を行った後（Ｓ２１５）回線を切断する（Ｓ２１６）。この場合には、Ｇ３／Ｇ４ファクシミリユニット１２６では、Ｇ３ファクシミリ通信制御回路１２６２とモデム１２５Ａとの間で信号の送受信を行なう。
【００３７】
ステップＳ２０６においてＩＳＤＮ回線の伝送路を使用した通信でないと判断された場合において、原稿が抜かれる等の中断処理が検出されたときは（Ｓ２１２の「Ｙｅｓ」）、Ｇ３ファクシミリ通信に関するフローから抜けてアイドル状態となるか、中断しないときは（Ｓ２１２の「Ｎｏ」）、ステップＳ２０２に処理を戻す。
【００３８】
従来では、モデムから出力されるアナログ信号をＩＳＤＮ回線への伝送のためにデジタル信号に変換し、ＩＳＤＮ回線の伝送路から受信したデジタル信号をアナログに変換していたが、本実施形態では、図３に示すように、Ｇ３ファクシミリ通信制御回路２１６２とモデム２１５Ａとを接続しているので、ＩＳＤＮ−Ｇ３ファクシミリ通信か可能となる。なお、図３では、ＣＯＤＥＣがないので、実装面積の低減等にもよる低コスト化をはかることができる。また、モデムのＩＣによる送信や受信アナログ信号のチューニングも不要になる。
【００３９】
図３において、モデム２１５ＡとＧ３ファクシミリ通信制御回路１２６２とを直接接続することにより、従来のアナログ信号のモニタが不可能となるが、モデム２１５Ａにアナログのモニタ出力を持たすことにより、ＩＳＤＮ−Ｇ３ファクシミリ通信の動作確認や障害発生時の解析のために使うことができる（図３の点線参照）。
【００４０】
図４に示したように、モデム１２５Ｂがアナログ出力しかサポートしていない場合は、モデムのアナログ出力をＣＯＤＥＣ１２６４により構成された回路にてアナログ／デジタル変換し、また、ＩＳＤＮ回線からのデジタル信号をデジタル／アナログ変換を行いＧ３ファクシミリ通信を実現することができる。
【００４１】
モデム（図３では１２５Ａ，図４では１２５Ｂ）とＩＳＤＮ制御回路１２１とのやりとりをアナログ信号で行うかデジタル信号で行うかの設定は、Ｇ３／Ｇ４ファクシミリユニット１２を搭載した基板上でハード的に設定できるようにしてもよいし、装置設置時の初期設定において、サービスモードから設定できるようにしてもよいし、基板を実装した後電源を投入した時に自動的にモデムの能力を判断し当該能力に応じて設定するようにしてもよい。
【００４２】
【発明の効果】
ＩＳＤＮ−Ｇ３ファクシミリ通信においても、Ａ／Ｄ−Ｄ／Ａ変換回路を削除することができ大幅なコストダウンと基板の実装面積の縮小化をはかることができる。
【００４３】
本発明のＧ３／Ｇ４ファクシミリユニットでは、ファクシミリ通信装置によっては、Ｇ３ファクシミリ信号を処理するモデムが、従来のＮＣＵ構成にしか対応できていない場合には、ＩＳＤＮでＧ４ファクシミリ通信はできてもＧ３ファクシミリ通信ができないといった事態は生じない。
【００４４】
本発明のファクシミリ通信装置は、ＩＳＤＮ−Ｇ３／Ｇ４ファクシミリユニットを本体回路と別体とした場合には、モデムは、ＰＳＴＮ−Ｇ３ファクシミリ信号と、ＩＳＤＮ−Ｇ３／Ｇ４ファクシミリ信号をモニタすることができるように構成できる。モデムは、Ｇ３／Ｇ４ファクシミリユニットおよびＮＣＵからのをアナログ信号をモニタするこがができるので、ＩＳＤＮ−Ｇ３ファクシミリ通信およびＰＳＴＮ―Ｇ３ファクシミリ通信の動作確認及び、通信不具合等の解析が可能となる。
【図面の簡単な説明】
【図１】本発明のファクシミリ通信装置の一実施形態を示すブロック図である。
【図２】図１のファクシミリ通信装置のＧ３ファクシミリ送信時の動作を示すフローチャートである。
【図３】本発明のＧ３／Ｇ４ファクシミリユニットの実施形態を示すブロック図であり、モデムがＩＳＤＮ−Ｇ３ファクシミリ信号をデジタル信号で送受信することができる場合を示す図である。
【図４】本発明のＧ３／Ｇ４ファクシミリユニットの実施形態を示すブロック図であり、モデムがＩＳＤＮ−Ｇ３ファクシミリ信号をアナログ信号で送受信することができる場合を示す図である。
【図５】図３および図４のファクシミリ通信装置の動作を示すフローチャートである。
【符号の説明】
１１，１２　ファクシミリ通信装置
１１１，１２１　半導体ＮＣＵ
１１２，１２２　ダイオードブリッジ
１１３，１２３　切断手段
１１４，１２４　システム制御部
１１５，１２５Ａ，１２５Ｂ　モデム
１１６，１２６　Ｇ３／Ｇ４ファクシミリユニット１１６
１１１１，１２１１　一次側回線制御回路
１１１２，１２１２　二次側回線制御回路
１１１３，１２１３　データ受渡し回路
１１６１，１２６１　Ｇ４ファクシミリ通信制御回路
１１６２，１２６２　Ｇ３ファクシミリ通信制御回路
１１６３，１２６３　回線Ｉ／Ｆ回路
１２６４　ＣＯＤＥＣ
【図１】
2004088629.tif 000003
【図２】
2004088629.tif 000004
【図３】
2004088629.tif 000005
【図４】
2004088629.tif 000006
【図５】
2004088629.tif 000007